(57)【特許請求の範囲】
【請求項１】
液晶表示装置のソースドライバーの映像データ処理機能の駆動を指示するフレームスタートパルス信号を生成する方法において、
新しいリセット(Reset)信号の開始点を限定するロード(LOAD)信号を活性化させるロード信号活性化段階;
前記リセット信号を認識するのに使用可能な複数のデータ入力信号のうちの一つである第１データ入力信号(ＬＶ０)が一定時間の間ロー(low)状態を維持するリセットロー維持段階;
前記リセットロー維持段階以後前記第１データ入力信号（ＬＶ０）が３クロック(ＣＬＫ)以上ハイ(high)状態を維持するリセットハイ維持段階;を具備して、
前記リセットハイ維持段階で前記第１データ入力信号(ＬＶ０)が一定クロック(ＣＬＫ)以上ハイ状態を維持する場合ソースドライバーチップの内部で前記フレームスタートパルス信号を生成することを特徴とする液晶表示装置のソースドライバーチップの内部でフレームスタートパルス信号を生成する方法。
【請求項２】
前記リセットハイ維持段階で、
前記第１データ入力信号(ＬＶ０)が６クロック(ＣＬＫ)以上ハイ(high)状態を維持する場合ソースドライバーチップの内部で前記フレームスタートパルス信号を生成することを特徴とする請求項１に記載の液晶表示装置のソースドライバーチップの内部でフレームスタートパルス信号を生成する方法。
【請求項３】
前記リセットハイ維持段階で、
前記第１データ入力信号(ＬＶ０)がハイ(high)状態を維持するか否かは、前記クロック(ＣＬＫ)信号の上昇エッジ(rising edge)または下降エッジ(falling edge)を使用して感知することを特徴とする請求項１に記載の液晶表示装置のソースドライバーチップの内部でフレームスタートパルス信号を生成する方法。
【請求項４】
前記リセットハイ維持段階で、
前記第１データ入力信号(ＬＶ０)がハイ(high)状態を維持するか否かは、前記クロック(ＣＬＫ)信号の上昇エッジ(rising edge)及び下降エッジ(falling edge)をすべて使用して感知することを特徴とする請求項１に記載の液晶表示装置のソースドライバーチップの内部でフレームスタートパルス信号を生成する方法。
【請求項５】
前記フレームスタートパルス信号は、
前記液晶表示装置のパネルのフレーム(Frame)または水平ライン(Horizontal line)の映像データを処理するための信号であることを特徴とする請求項１に記載の液晶表示装置のソースドライバーチップの内部でフレームスタートパルス信号を生成する方法。
【請求項６】
前記リセット信号を認識するのに使用可能な複数のデータ入力信号のうちで第１データ入力信号は位相が反転されて入力されることを特徴とする請求項１ないし５のうちいずれか一つに記載の液晶表示装置のソースドライバーチップの内部でフレームスタートパルス信号を生成する方法。
【請求項７】
液晶表示装置のソースドライバーの映像データ処理機能の駆動を指示するフレームスタートパルス信号を生成する方法において、
新しいリセット(Reset)信号の開始点を限定するロード(LOAD)信号を活性化させるロード信号活性化段階;及び
前記リセット信号を認識するのに使用可能な複数のデータ入力信号のうちの一つである第１データ入力信号(ＬＶ０)が一定時間の間第１論理状態を維持するリセット維持段階;を具備して、
前記リセット維持段階以後前記第１データ入力信号(ＬＶ０)が一定クロック(ＣＬＫ)以上第２論理状態を維持する場合ソースドライバーチップの内部で前記フレームスタートパルス信号を生成することを特徴とする液晶表示装置のソースドライバーチップの内部でフレームスタートパルス信号を生成する方法。
【請求項８】
前記リセット維持段階以後前記第１データ入力信号(ＬＶ０)が６クロック(ＣＬＫ)以上第２論理状態を維持する場合ソースドライバーチップの内部で前記フレームスタートパルス信号を生成することを特徴とする請求項７に記載の液晶表示装置のソースドライバーチップの内部でフレームスタートパルス信号を生成する方法。
【発明の詳細な説明】
【技術分野】
【０００１】
本発明は、液晶表示装置の駆動方法に関するものであり、特に、液晶表示装置のソースドライバーの映像データ処理機能の駆動を指示するフレームスタートパルス信号をソースドライバーチップの内部で生成する方法に関するものである。
【背景技術】
【０００２】
液晶表示装置(Liquid Crystal Display:ＬＣＤ)は印加電圧によって液晶分子らの配列状態が変わる特徴を利用して液晶で光を通過させることによって映像データがディスプレイされる素子を意味する。
【０００３】
このなかで最近一番活発に使用されている素子は、シリコン集積回路の製造技術を利用して作る薄膜トランジスター(Thin Film Transistor、ＴＦＴ)型液晶表示装置(ＬＣＤ)である。
【０００４】
図１は、一般的な液晶表示装置のパネル駆動システムを示す図面である。
【０００５】
図１に示されたところのように液晶表示装置のパネル駆動システムは、液晶とカラーフィルターなどでなされたパネル３０と、これを駆動するゲートドライバー４１、４２、４３らでなされたゲート駆動部４０と、液晶のソース(source)ラインを駆動するソースドライバー２１、２２、２３らでなされたソース駆動部２０と、ゲート駆動部４０及びソース駆動部２０を制御してピクセルデータを出力するタイミング制御部１０で構成されている。
【０００６】
各ピクセルは、スイッチトランジスターと液晶素子で構成されていてスイッチトランジスターのゲート端子はゲートドライバー４１、４２、４３・・・らによって駆動される。ゲート端子を除いたスイッチトランジスターの一側端子には液晶素子が連結されていて、反対側の他側端子にはソースドライバー２１、２２、２３・・・らの出力端子が連結されている。
【０００７】
タイミング制御部１０は、液晶表示装置のパネル駆動システムを総括的に制御する部分としてゲートドライバー及びソースドライバーを制御するタイミング信号(ＣＬＫ、ＬＯＡＤ、ＳＰi)らと、ビデオ信号(Ｒ、Ｇ、Ｂ)をソースドライバー２１、２２、２３、・・・に伝達する。
【０００８】
この時、一般な液晶表示装置のタイミング制御部ではＬＶＤＳ(Low Voltage Differential Signaling:以下、’ＬＶＤＳ’と言う)方式でビデオ信号(Ｒ、Ｇ、Ｂ)を入力されてソースドライバーに送るようになって、この時タイミング制御部でソースドライバーにデータを送る時は、mini-ＬＶＤＳ(mini Low Voltage Differential Signaling:以下、’ｍＬＶＤＳ’と言う)方式で送るようになる。
【０００９】
タイミング制御部で液晶表示装置のドライバー集積回路(ＩＣ)の間にデータを送る時、従来の方式であるＴＴＬ(Transistor-Transistor-Logic:以下’ＴＴＬ’と称する)方式の場合伝送速度が遅くて電流消耗量が多くて、ＥＭＩ(Electro Magnetic Interface)特性が良くない短所があったが、このような短所を補って信号の電圧スイング大きさの幅を減らしたものがＬＶＤＳ方式である。
【００１０】
またｍＬＶＤＳの場合電圧スイングの大きさをさらに減らして全体チップの電流消耗量及びＥＭＩ特性を大きく改善させたものであり、このようなＬＶＤＳ及びｍＬＶＤＳ方式のデータ伝送は、液晶表示装置分野で通常の知識を有した者によく知られたデータ伝送方式であり、その詳細な説明は略する事にする。
【００１１】
図２は、従来のｍＬＶＤＳ方式を使用している液晶表示装置でのリセット信号認識に対するタイミングダイヤグラムである。
【００１２】
従来のｍＬＶＤＳ方式を使用している液晶表示装置でのリセット信号認識は、次の過程を経る。先ず、ロード(LOAD)信号がハイ(high)で入力された状態でｍＬＶＤＳ方式に伝送される入力データ信号のひとつであるＬＶ０＋、−が２００ｎｓ以上のロー(low)状態を維持して(ｔ２)、以後３ＣＬＫ以上のハイ(high)状態を維持する(ｔ３)。
【００１３】
以後クロック(ＣＬＫ＋、−)信号の上昇エッジ(rising edge)でトリガー(trigger)される入力データ信号(ＬＶ０＋、−信号)の一番目のlow信号(ＲＳＴ＝Ｌ)をリセット信号で認識するようになる。また、タイミング制御部ではソースドライバーの映像データ処理機能の駆動を指示するフレーム(Frame)スタートパルス信号をソースドライバーに送る。
【００１４】
このように従来のｍＬＶＤＳ方式を使用している液晶表示装置においては、ソースドライバーの映像データ処理機能の駆動に必要なフレームスタートパルス信号を外部にあるタイミング制御部で入力されて使ったのでソースドライバーチップにフレームスタートパルス信号の入力のための入力ピン(input pin)がさらに必要であったし、ソースドライバーが実装される印刷回路基板(ＰＣＢ)にはフレームスタートパルス信号の入力のためのラインを追加しなければならないなどの問題があった。
【発明の概要】
【発明が解決しようとする課題】
【００１５】
本発明が解決しようとする技術的課題は、ソースドライバーの映像データ処理機能の駆動を指示するフレームスタートパルス信号がソースドライバーチップの内部で生成されるようにすることで、フレームスタートパルス信号の入力のための入力ピンを減少させて、ソースドライバーチップを印刷回路基板に実装する時、フレームスタートパルス信号の入力のためのラインの除去が可能な液晶表示装置のソースドライバーチップの内部でフレームスタートパルス信号を生成する方法を提供することにある。
【課題を解決するための手段】
【００１６】
前記技術的課題を達成するための本発明による液晶表示装置のソースドライバーチップの内部でフレームスタートパルス信号を生成する方法は、液晶表示装置のソースドライバーの映像データ処理機能の駆動を指示するフレームスタートパルス信号を生成する方法において、新しいリセット信号の開始点を限定するロード(ＬＯＡＤ)信号を活性化させるロード信号活性化段階;前記リセット信号を認識するのに使用可能な複数のデータ入力信号のうちでいずれか一つのデータ入力信号(ＬＶ０)が一定時間の間にロー(low)状態を維持するリセットロー維持段階;前記リセットロー維持段階以後に前記いずれか一つのデータ入力信号が３クロック(ＣＬＫ)以上ハイ(high)状態を維持するリセットハイ維持段階;を含んで、前記リセットハイ維持段階で前記いずれか一つのデータ入力信号(ＬＶ０)が一定クロック(ＣＬＫ)以上ハイ状態を維持する場合、ソースドライバーチップの内部で前記フレームスタートパルス信号を生成することを特徴とする。
【発明の効果】
【００１７】
本発明による液晶表示装置のソースドライバーチップの内部でフレームスタートパルス信号を生成する方法によれば、外部から入力されたソースドライバーの映像データ処理機能の駆動を指示するフレームスタートパルス信号をソースドライバーチップの内部で生成されるようにすることで、フレームスタートパルス信号の入力のための入力ピンを減少させて、ソースドライバーチップを印刷回路基板に実装する時フレームスタートパルス信号の入力のためのラインを除去することができる効果がある。
【００１８】
また、本発明によればフレーム(Frame)または、水平ライン(Horizontal line)の映像データを処理するための信号をソースドライバーチップの内部で生成することができるので、内部ロジッグ(logic)の具現の容易な長所がある。
【図面の簡単な説明】
【００１９】
【図１】一般な液晶表示装置のパネル駆動システムを示す図面である。
【図２】従来のｍＬＶＤＳ方式を使用している液晶表示装置でのリセット信号認識に対するタイミングダイヤグラムである。
【図３】本発明によるフレームスタートパルス信号を生成するためのタイミングダイヤグラムである。
【図４】本発明によるフレームスタートパルス信号の生成可否を区別する方法の一実施例を示す図面である。
【図５】本発明による“ＲＳＴ＝Ｈ”の認識信号が任意のデータ入力信号から入力されることを示す図面である。
【発明を実施するための形態】
【００２０】
本発明の核心的なアイディアは、ソースドライバーの映像データ処理機能の駆動を指示するフレームスタートパルス信号をソースドライバーチップの内部で生成されるようにして、フレームスタートパルス信号の入力のための入力ピン及び入力ラインをとり除くことにある。
【００２１】
以下では本発明の具体的な実施例を、図面を参照して詳しく説明するようにする。
【００２２】
図３は、本発明によるフレームスタートパルス信号を生成するためのタイミングダイヤグラムである。
【００２３】
図２でよく見たところのように新しいリセット(Reset)信号の開始点を限定するロード(LOAD)信号がハイ(high)で入力(t１)になった状態でｍＬＶＤＳ方式に伝送されるデータ信号のひとつのデータ入力信号(ＬＶ０＋、−)が２００ns以上ロー(low)状態を維持して(ｔ２)、以後３ＣＬＫ以上ハイ(high)状態を維持する(ｔ３)。
【００２４】
以後、本発明ではクロック(ＣＬＫ＋、−)信号の上昇エッジ(rising edge)でトリガー(trigger)される一つのデータ入力信号(ＬＶ０＋、−)の一番目ロー(low)信号である“ＲＳＴ＝Ｌ”の入力の前に３ＣＬＫ以上維持されるリセットハイ(high)区間(ｔ３区間)をスタートパルス信号生成のための区分信号で使用する。
【００２５】
すなわち、リセット信号を認識するのに使用可能な一つのデータ入力信号(ＬＶ０＋、−)の入力時“ＲＳＴ＝Ｌ”入力の前に３ＣＬＫ以上維持されるリセットハイ(high)区間(ｔ３区間)を利用して、スタートパルス信号の発生可否を決めるようになる。
【００２６】
図４は、本発明によるフレームスタートパルス信号の生成可否を区別する方法の一実施例を示す図面である。
【００２７】
図４に示されたところのようにリセット信号を認識するのに使用可能な一つのデータ入力信号(ＬＶ０＋、−)が３ＣＬＫ以上リセットハイを維持する“ＲＳＴ＝Ｈ”がクロック信号(ＣＬＫ＋、−)の上昇エッジで６個以上感知された場合には、ソースドライバーチップの内部でフレームスタートパルス信号を生成して“ＲＳＴ＝Ｈ”がクロック信号(ＣＬＫ＋、−)の上昇エッジで５個以下に感知される場合にはフレームスタートパルス信号を生成しない。
【００２８】
図４に示された例は、ソースドライバーチップの内部でフレームスタートパルス信号を生成する方法に関する一実施例としてソースドライバーチップの内部でフレームスタートパルス信号の生成のための区分信号で使用される“ＲＳＴ＝Ｈ”区間はいろいろに変更されることができることが分かる。
【００２９】
すなわち、“ＲＳＴ＝Ｈ”を感知する区間としてクロック信号(ＣＬＫ＋、−)の下降エッジを使用することができるし、またクロック信号(ＣＬＫ＋、−)のデュアルエッジ(dual edge)を使用することもできる。
【００３０】
図５は、本発明による“ＲＳＴ＝Ｈ”の認識信号が異なるデータ入力信号で入力されることを示す図面である。
【００３１】
本発明による液晶表示装置のソースドライバーチップの内部でフレームスタートパルス信号を生成する方法によれば、複数のデータ入力信号中の一つであるＬＶ０＋、−信号だけでなく、他のデータ入力信号であるＬＶ１＋、−ないしＬＶ５＋、−のうちで任意の一つのデータ入力信号を選択して、“ＲＳＴ＝Ｈ”の区分信号で使用することができることが分かる。
【表１】
0005553823.tif 000002
【００３２】
表１は、mini-ＬＶＤＳ(ｍＬＶＤＳ)インターフェース(interface)でＳＢ信号の条件によってリセット信号を認識するのに使用可能なＬＶ０+の位置と位相が変更されることを示している。表１を参考すればリセット信号を認識するのに使用可能な複数のデータ入力信号(ＬＶ０ないしＬＶ５)が反転されて入力されることが分かる。
【００３３】
リセット信号を認識するのに使用可能なＬＶ０＋、−信号は、ＳＢ信号の条件によって次のように位相が変わって入力される。すなわち、ＳＢ＝Ｌである時にはＬＶ０ＡはＬＶ０＋に入力されて、ＬＶ０ＢはＬＶ０−に入力される(ＬＶｘＡ pinにＬＶ０＋が入力)。一方、ＳＢ＝Ｈである時にはＬＶ５ＡはＬＶ０−に入力されてＬＶ５ＢはＬＶ０＋に入力される(ＬＶｘＢ pinにＬＶ０＋が入力)。
【００３４】
すなわち、ＳＢ信号の条件によってＬＶ０+信号の入力位置が変わって、またその位相も変わるようになる。
【００３５】
ＳＢ＝Ｌである時とＳＢ＝Ｈである時すべてリセット(Reset)の認識は、ロード(ＬＯＡＤ)信号の上昇エッジ(rising edge)以後ＬＶ０+信号が２００ｎｓ間ロー(Low)０状態を維持した後３ＣＬＫ以上ハイ(High)で維持されて以後入力される一番目クロック信号(ＣＬＫ)の上昇エッジ(rising edge)で感知(detect)されるReset=Lがリセット(Reset)信号で使用されるようになる。
【００３６】
すなわち、ＳＢ＝Ｈである時は、前記リセット(Reset)信号入力がＬＶ５Ｂ=ＬＶ０+であるので、ソースドライバーチップの入力から見ればリセット(Reset)信号の位相が反対に入力されるものである。
【００３７】
前記のようにＳＢ＝Ｈである時、リセット信号を認識するのに使用可能なデータ入力信号の入力が入力ピンでは位相が反対に入力されてもソースドライバーチップ内で再び位相を反転させることで、ソースドライバーチップ内部的にはＳＢ＝Ｌである時と同一な位相を適用することができるものである。
【００３８】
以上では本発明に対する技術思想を添付図面と共に敍述したが、これは本発明の望ましい実施例を例示的に説明したものであって、本発明を限定するものではない。また、本発明が属する技術分野で通常の知識を有した者なら誰も本発明の技術的思想の範疇を離脱しない範囲内で多様な変形及び模倣が可能であることは明白な事実である。
【符号の説明】
【００３９】
１０・・・タイミング制御部、
２０・・・ソース駆動部、
２１、２２、２３・・・ソースドライバー、
３０・・・パネル、
４０・・・ゲート駆動部、
４１、４２、４３・・・ゲートドライバー。
【図１】
0005553823.tif 000003
【図２】
0005553823.tif 000004
【図３】
0005553823.tif 000005
【図４】
0005553823.tif 000006
【図５】
0005553823.tif 000007